(57)【特許請求の範囲】
【請求項１】
正面板、天面板、背面板、底面板を有する直方体形状の角筒体の天面板から正面板にかけて切り離し用の不連続切断線により開閉可能なロールシート引き出し口形成部が形成されており、角筒体の両側部開口部は、正面板及び背面板の両側縁に連設されている一対のフラップと天面板及び底面板の両側縁に連設されている一対のフラップのいずれか一方の一対のフラップを内側フラップとし、他方の一対のフラップを外側フラップとして折り重ねて接合して閉鎖されているロールシート収納紙箱であって、
角筒体の少なくとも一方の側部開口部を閉鎖している前記一対の外側フラップのうちの一方の外側フラップは、その両側縁における対称位置から先端縁中央部まで対称形に延びる２本の傾斜線状の切り離し用不連続切断線によって台形状胴部と先端縁がＲ形状とされている頭部と、前記台形状胴部と頭部の間の首部を有している差込片Ｃが形成されている詰め替え口開閉用蓋部Ａとされ、
相対する他方の外側フラップは、前記蓋部Ａの差込片Ｃの頭部の最大幅より大きい横幅の切線と、該切線の両端側部分を除く中央部において、該切線を間にしてフラップ先端側の細幅矩形切欠部と反対側フラップ内の半円形乃至半楕円形の切欠部が一体的に形成されている形状の切欠部からなる前記差込片Ｃに対する差込孔Ｄと、該差込孔Ｄに隣接していて前記差込片Ｃの頭部のＲ形状先端縁が折り重なる箇所にエンボス凹部Ｅが形成されていて、前記蓋部Ａと一対で詰め替え口を開閉する蓋部Ｂとされていることを特徴とするロールシート収納紙箱。
【請求項２】
前記詰め替え口用の蓋部Ａの差込片Ｃにおける前記首部は、その台形状胴部と先端縁がＲ形状とされている頭部の間において前記不連続切断線を胴部内側方向に迂回させて形成されている括れ部よりなることを特徴とする請求項１記載のロールシート収納紙箱。
【請求項３】
前記蓋部Ａには、前記差込片Ｃの先端縁がＲ形状の頭部と台形状の胴部との間の首部に相当する箇所に頭部折り曲げ用の押罫線が形成されていることを特徴とする請求項１又は２に記載のロールシート収納紙箱。
【請求項４】
前記蓋簿Ａの差込片Ｃにおける前記首部を形成している括れ部間の幅ａ’と、前記蓋部Ｂの差込孔Ｄにおける細幅矩形切欠部の横幅ｂ’の関係が、ａ’＜ｂ’であることを特徴とする請求項１〜３のいずれか１項に記載のロールシート収納紙箱。
【請求項５】
前記詰め替え口用の蓋部Ａとされる外側フラップは、該外側フラップの側方部分のフラップ内面に塗布された接着剤による易剥離性接着部によって、前記蓋部Ｂとされる外側フラップと接着されていることを特徴とする請求項１〜４のいずれか１項に記載のロールシート収納紙箱。
【発明の詳細な説明】
【技術分野】
【０００１】
本発明は、ロール状に巻き込んだクッキングペーパーやペーパータオル等のロールシートを収納する直方体形状の紙箱であって、開閉が可能なシート取出口と開閉可能なロールシート詰め替え口とを有するロールシート収納紙箱に関する。
特に、本発明は、ロールシートの詰め替え口の形成が容易で、かつ、繰り返し詰め替え作業にも耐える差込係止部を有する詰め替え口を形成することができるロールシート収納紙箱に関する。
【背景技術】
【０００２】
ロール状に巻き込んだクッキングペーパーやペーパータオル等のロールシートを収納した直方体形状の紙箱の天面から正面にかけて切り離し用の不連続切断線を設けて開閉可能なシート取り出し口を形成するタイプのロールシート収納箱として、収納ロールシートの取り出し易さを向上させたもの（特許文献１、特許文献２）、収納ロールシートの切断機構を改善したもの（特許文献３）、トップオープン方式の開閉紙箱の開閉部分のリクローズ性を改善したもの（特許文献４）などのように収納ロールシートの開閉可能な取り出し口の改善に関する提案は多数なされている。
【０００３】
他方、ロールシート詰め替え機構を有するロールシート容器として、ロールシート引き出し用の開口部とは別に箱体の妻面側からロールシートの詰め替えを行うことができるタイプの商品として、閉鎖妻面において相対する一対の外フラップの互いの重ね合わせ先端部に先端縁に直交する方向に２本ずつの切り離し用の不連続切断線も形成して、収納ロールを使い切った場合に接合している一対の外フラップを剥がして新しいロールシートを詰め替えた後、互いの不連続切断線を切り離して形成される小フラップ同士を噛み合わせ係合して妻面を開閉可能に閉鎖する詰め替え可能なタイプのものも市販されている。
【先行技術文献】
【特許文献】
【０００４】
【特許文献１】特開平８−２４４７８７号公報
【特許文献２】特開平１０−０８６９３７号公報
【特許文献３】特開平９−２９５６３７号公報
【特許文献４】特開平０９−１９３９２６号公報
【発明の概要】
【発明が解決しようとする課題】
【０００５】
本発明は、紙箱の天面板又は天面板から正面板にかけて形成されているロールシート引き出し用の開口部形成部とは別に紙箱の妻面にロールシートの詰め替え口形成部を形成したロールシート収納紙箱において、特にロールシートの詰め替え作業を繰り返し行う場合に詰め替え口の開封作業と閉鎖作業が容易であり、かつ十分な強度の閉鎖構造を有する詰め替え口を形成することができるロールシート収納紙箱を提供することを目的とする発明である。本発明は、以下の各発明を包含する。
【０００６】
（１）正面板２、天面板３、背面板４、底面板５を有する直方体形状の角筒体の天面板３から正面板２にかけて切り離し用の不連続切断線Ｌ１により開閉可能なロールシート引き出し口形成部７が形成されており、角筒体の両側部開口部は、正面板２及び背面板４の両側縁に連設されている一対のフラップと天面板３及び底面板５の両側縁に連設されている一対のフラップのいずれか一方の一対のフラップを内側フラップとし、他方の一対のフラップを外側フラップとして折り重ねて接合して閉鎖されているロールシート収納紙箱であって、
角筒体の少なくとも一方の側部開口部を閉鎖している前記一対の外側フラップ（３ａ，５ａ）のうちの一方の外側フラップ（３ａ）は、その両側縁における対称位置から先端縁中央部まで対称形に延びる２本の傾斜線状の切り離し用不連続切断線（Ｌ１）によって台形状胴部（３ａ１）と先端縁がＲ形状とされている頭部（３ａ２）と、前記台形状胴部（３ａ１）と頭部（３ａ２）の間の首部（３ａ４）を有している差込片Ｃが形成されている詰め替え口開閉用蓋部Ａとされ、
相対する他方の外側フラップ（５ａ）は、前記蓋部Ａの差込片Ｃの頭部の最大幅より大きい横幅の切線（Ｌ２）と、該切線（Ｌ２）の両端側部分を除く中央部において、該切線（Ｌ２）を間にしてフラップ先端側の細幅矩形切欠部（５ａ１）と反対側フラップ内の半円形乃至半楕円形の切欠部（５ａ２）が一体的に形成されている形状の切欠部からなる前記差込片Ｃに対する差込孔Ｄと、該差込孔Ｄに隣接していて前記差込片Ｃの頭部のＲ形状先端縁が折り重なる箇所にエンボス凹部Ｅが形成されていて、前記蓋部Ａと一対で詰め替え口を開閉する蓋部Ｂとされていることを特徴とするロールシート収納紙箱。
【０００７】
（２）前記詰め替え口用の蓋部Ａの差込片Ｃにおける前記首部（３ａ４）は、その台形状胴部（３ａ１）と先端縁がＲ形状とされている頭部（３ａ２）の間において前記不連続切断線Ｌ１を胴部内側方向に迂回させて形成されている括れ部よりなることを特徴とする（１）項に記載のロールシート収納紙箱。
【０００８】
（３）前記蓋部Ａの差込片Ｃには、先端縁がＲ形状の頭部（３ａ２）と台形状の胴部（３ａ１）との間の首部（３ａ４）に相当する箇所に頭部折り曲げ用の押罫線（３ａ３）が形成されていることを特徴とする（１）項又は（２）項に記載のロールシート収納紙箱。
【０００９】
（４）前記蓋部Ａの差込片Ｃにおける前記首部を形成している括れ部間の幅ａ’と、前記蓋部Ｂの差込孔Ｄにおける細幅矩形切欠部の横幅ｂ’の関係が、ａ’＜ｂ’であることを特徴とする（１）項〜（３）項のいずれか１項に記載のロールシート収納紙箱。
【００１０】
（５）前記蓋部Ｂの差込孔Ｄにおける細幅矩形切欠部（５ａ１）の前記切線Ｌ２から上端縁までの縦幅ｃが３．５ｍｍ〜５．５ｍｍであることを特徴とする（１）項〜（４）項のいずれか１項に記載のロールシート収納紙箱。
【００１１】
（６）前記詰め替え口用の蓋部Ａとされる外側フラップ（３ａ）は、該外側フラップ（３ａ）の側方部分のフラップ内面に塗布された接着剤による易剥離性接着部によって、前記蓋部Ｂとされる外側フラップ５ａと接着されていることを特徴とする（１）項〜（５）項のいずれか１項に記載のロールシート収納紙箱。
【００１２】
（７）米坪２７０ｇ／ｍ２〜４５０ｇ／ｍ２の一枚の板紙を打ち抜いたブランクシートにより形成されていることを特徴とする（１）項〜（６）項のいずれか１項に記載のロールシート収納紙箱。
【発明の効果】
【００１３】
本発明のロールシート収納紙箱１は、詰め替え口用の一方の蓋部Ｂに設けられている差込孔Ｄに隣接するエンボス凹部Ｅを有している、という形状、構造であることによって、側面閉鎖部に詰め替え口を形成するために外側フラップ（３ａ）の前記蓋部Ａ内の差込片Ｃを切り離す際に、蓋部Ａの差込片Ｃの頭部（３ａ２）のＲ形状の端縁とエンボス凹部との間に指先や爪先を挿入することができるので、頭部を上方に起こして摘み部を形成し、該摘み部を摘んで不連続切断線（Ｌ１）を切り離して蓋部Ａと蓋部Ｂを形成する作業が容易である。
【００１４】
また、一方の外側フラップ（３ａ）における蓋部Ａの差込片Ｃが、Ｒ形状とされている頭部（３ａ２）を有していて差込片Ｃの首部３ａ４が括れ部となっていることと、該蓋部Ａの差込片Ｃを差し込み係合する相手である、他方の蓋部Ｂを形成している他方の外側フラップ（５ａ）における差込孔Ｄの形状構造が、前記差込片Ｃの頭部（３ａ２）の最大幅より大きい横幅を有する切線Ｌ２と、該切線Ｌ２の両端側の部分を除いた中央部分において、切線Ｌ２よりフラップ先端側の細幅矩形切欠部５ａ１と切線Ｌ２の反対側のフラップ内の半円形乃至半楕円形の切欠部５ａ２が一体化されている形状であることとによって、蓋部Ａにおける差込片Ｃの頭部３ａ２の蓋部Ｂの差込孔Ｄへの差込係合のし易さ、通常の取り扱い状態における該差込係合箇所の外れ難さ及び蓋部同士を係合させて閉鎖している詰め替え口を開封する際の係合部の解除のし易さを合わせ備えた詰め替え口を形成することが可能なロールシート収納紙箱が提供される。
【図面の簡単な説明】
【００１５】
【図１】本発明のロールシート収納用紙箱を形成するブランクシートを示す図である。
【図２】図１のブランクシートから正面板、天面板、背面板、底面板、内側正面板を折り曲げて直方体状角筒体を形成した状態を示す図である。
【図３】図２の直方体状角筒体の両方の側面開口部を閉鎖した状態を示す図である。
【図４】図３のロールシート収納紙箱の閉鎖側面から詰め替え口用の蓋部の差込片を切り離す作業段階を示す図である。
【図５】図４に示す作業によって蓋部の差込片を切り離した状態を示す図である。
【図６】図５に続いて詰め替え口を開封した状態を示す図である。
【図７】詰め替え口を再閉鎖した状態を示す図である。
【図８】詰め替え口を形成する蓋部Ａと蓋部Ｂの形状を示す図である。
【図９】再閉鎖した詰め替え口の蓋部Ａ，蓋部Ｂの係合部が柔構造部であることを示す図である。
【発明を実施するための形態】
【００１６】
図面を参照して本発明のロールシート収納紙箱の詳細を以下に説明する。
本発明のロールシート収納紙箱１は、通常、米坪が２７０〜４５０ｇ／ｍ２の範囲の一枚の板紙を打ち抜いて作成される図１に示すブランクシートによって形成される直方体状の角筒体内にロール状に巻き込んだクッキングペーパーやペーパータオル等のロールシートを収納した紙箱である。
【００１７】
図１のブランクシートにおいて、２は正面板、３は天面板、４は背面板、５は底面板、６は内側正面板を示し、２ａ，２ｂ，４ａ，４ｂは内側フラップ、３ａ，３ｂ，５ａ，５ｂは外側フラップ、３ａ１は蓋部Ａにおける差込片の台形胴部、３ａ２は頭部、３ａ３は押罫線、３ａ４は首部（括れ部）、Ｄは差込孔、５ａ１は細幅矩形切欠部、５ａ２は半円形又は半楕円形の切欠部、Ｅはエンボス凹部、Ｌ１は不連続切断線、Ｌ２は切線を表す。
【００１８】
図１のブランクシートから本発明のロールシートを収納した紙箱を組み立てる手順を図１及び図２を参照して説明する。
先ず、図１のブランクシートを正面板２、天面板３、背面板４、底面板５の順に直角に折り曲げて内側正面板６の外面を正面板２の内面と接着剤により接合して図２に示される両側面が開口した角筒体を形成する。
【００１９】
次に、ロールシートを収納した状態の角筒体の両面開口部のうち、一方の開口部を、正面板２に連設されているフラップ２ｂと背面板４に連設されている図示されていないフラップ４ｂを開口部側に折り込み、それらの外面を覆って天面板３に連設されているフラップ３ｂと底面板５に連設されているフラップ５ｂを折り重ねて接合して該開口部を閉鎖する。この状態で角筒体内にロールシートを収納する。
【００２０】
続いて、他方の開口部は、正面板２に連設されている内側フラップ２ａと背面板４に連設されている内側フラップ４ａを開口部側に折り込み、それらの外面を覆って天面板３に連設されている外側フラップ３ａと底面板５に連設されている外側フラップ５ａを折り重ねて接合して該開口部を閉鎖する。
以上の作業によって図３に示すロールシート収納紙箱の組み立てが完了する。
【００２１】
上記の様に形成された図３の状態のロールシート収納紙箱１は、切り離し用の不連続切断線Ｌ１に沿ってロールシート引き出し口形成部７を切り離して引き出し口が形成され、該引き出し口から収納ロールシートを巻き出すことによって、収納ロールシートがなくなるまで使用され、ロールシートがなくなった段階で、詰め替え口形成用側部の閉鎖部を開封して新しいロールシートを詰め替え、再度該開封部を再開封可能な状態に閉鎖して次の使用時まで保管される。
【００２２】
本発明のロールシート収納箱において、上記のロールシート引き出し口形成部７の全体形状に特に制限はない。また、該引き出し口形成部７の差込片７ａと、該差込片７ａを差し込み係合するための切断部６ａを係合させることにより引き出し口形成部７による取り出し口を閉鎖する態様を示したが、引き出し口形成部７を内側正面板６に係止する手段にも特に制限はない。前記先行技術に開示されている係止手段等を含む従来公知の係止手段を任意に採用することができる。
【００２３】
上記のように、収納ロールシートを使い終わった場合の詰め替え作業は以下のように行われる。
先ず、収納ロールシートを使い終わって図３の使い終わり状態となっている紙箱の詰め替え口形成用側部を閉鎖している、天面板３に連設されている外側フラップ３ａと底面板５に連設されている外側フラップ５ａの間を次に手順で剥離する。
図４に示すように、外側フラップ５ａに形成されているエンボス凹部Ｅと外側フラップ３ａに形成されている蓋部Ａの差込片Ｃの頭部３ａ２のＲ形状先端縁との間に生じる隙間に指先又は爪先を挿し込み（図４ａ）、次いで蓋部Ａの頭部３ａ２の先端縁側を上方に押し上げて起こし（図４ｂ）、該頭部３ａ２を摘んで（図４ｃ）、不連続切断線Ｌ１を利用して差込片Ｃ部分を外側フラップ３ａから切り離して蓋部Ａを形成する（図５）。
蓋部Ａを形成するフラップ３ａは差込片Ｃ部分においても内側フラップ２ａや内側フラップ４ａの外面に部分的に接着されているが、該接着部は易剥離性の弱接着部であるので、不連続切断線Ｌ１により蓋部Ａの差込片Ｃ部分を切り離す際に同時に剥離することができる。
【００２４】
蓋部Ａの差込片Ｃを切り離した後に残される底面板５のフラップ５ａは、前記天面板３のフラップ３ａから差込片Ｃが切り離された後に残される不連続切断線Ｌ１の外側部分が接着されている状態のままであるが、特に該フラップ３ａの残された部分をフラップ５ａの面から剥離除去する必要はない。該フラップ３ａの残された部分が接着されていることによって蓋部Ｂの先端部領域の強度が強化されるという効果も期待されるので、そのまま接着している状態で蓋部Ｂが形成される。蓋部Ｂとされる外側フラップ５ａの裏面は、正面板２の内側フラップ２ａ及び背面板４の内側フラップ４ａの面に部分的に接着されているが、該接着部は易剥離性の弱接着部であるので、蓋部Ｂとされる外側フラップ５ａを正面板２の内側フラップ２ａ及び背面板４の内側フラップ４ａの面から剥離して蓋部Ｂを形成することができる。
次いで、正面板２の内側フラップ２ａ及び背面板４の内側フラップ４ａを左右に拡げて詰め替え口を開口する（図６）。この状態で使い終わりのロールシートの芯材がある場合は取り除き、新しいロールを収納する。
【００２５】
新しいロールシートを収納した後の詰め替え口の再閉鎖作業は、先ず、正面板２の内側フラップ２ａ及び背面板４の内側フラップ４ａを左右から詰め替え口側に折り込み、両フラップの外面に最初に蓋部Ｂを折り重ね、次に、蓋部Ｂの外面に蓋部Ａを折り重ね、その状態で蓋部Ａの差込片Ｃの頭部３ａ２のＲ形状先端縁を蓋部Ｂの差込孔Ｄの細幅矩形切欠部５ａ１側から差し込んで蓋部Ａと蓋部Ｂとを係合し（図７）、詰め替え作業を完了する。
【００２６】
本発明のロールシート収納紙箱は、前記詰め替え口を形成する蓋部Ａと蓋部Ｂの差込係合箇所とされる底面板５の外側フラップ５ａ内に形成される差込孔Ｄが、前記したように、蓋部Ａの差込片Ｃの頭部（３ａ２）の最大幅より大きい横幅を有する切線Ｌ２と、該切線Ｌ２の両端側の部分を除く中央部分において、切線Ｌ２よりフラップ先端側の細幅矩形切欠部（５ａ１）と切線Ｌ２の反対側のフラップ内の半円形乃至半楕円形の切欠部（５ａ２）が切線Ｌ２を含んで一体化されている形状の切欠部として形成されているものであることと、蓋部Ａの差込片ＣがＲ形状の先端縁を有する頭部と、括れ部からなる首部（３ａ４）を有するものであることによって、蓋部Ａの頭部を蓋部Ｂの差込孔Ｄに差し込む際に、差込孔Ｄの幅に余裕が生じていてＲ形状の先端縁を有する差込片Ｃの頭部を該切線Ｌ２部分を利用して差し込むことができると共に、差し込まれた状態の頭部の幅方向両側縁は首部が切線Ｌ２部分から簡単に抜け出ることがないので通常の取扱時に該係合部（ロック状態）が簡単に外れることがなく、さらに、詰め替え口を再度開封する場合には、差込片の頭部の側縁を切線Ｌ２の部分に合わせて引き出すだけで簡単に係合（ロック）を解除できるという機能を備えている詰め替え口を有するものとなっている。
【００２７】
上記のような機能を備えている詰め替え口を形成できる蓋部Ａの差込片Ｃと蓋部Ｂの差込孔Ｄは、図８に示すような蓋部Ａの頭部３ａ２と蓋部Ｂの差込孔Ｄの間で以下の条件を満たすものであることが好ましい。
即ち、図８に示される蓋部Ａにおける差込片Ｃの頭部３ａ２の最大幅をａ、首部となる括れ部間の幅をａ’とし、蓋部Ｂにおける差込孔Ｄの切線Ｌ２の幅をｂ、切線Ｌ２よりフラップ５ａの先端側に形成されている細幅矩形切欠部５ａ１の横幅をｂ、切線Ｌ２から上方の細幅矩形切欠部の先端縁までの該細幅矩形切欠部の縦幅をｃとした場合、ａ＜ｂ、ａとｂの寸法差は０．３〜０．７ｍｍ、ａ’＜ｂ’、ａ’とｂ’の寸法差は２．０ｍｍ〜２．５ｍｍ、ｃ＝３．５ｍｍ〜５．５ｍｍの各要件を満たすものであることが好ましい。
なお、ａとｂ’の寸法関係は、ａ＞ｂ’であることが好ましい。
【００２８】
ａとｂの寸法差が０．３ｍｍ未満の場合には、差し込み時の抵抗が大きくなって差し込み難くなる。また、寸法差が０．７ｍｍを超えた場合、差し込み時にロックが掛り難く、差し込み後にロックが外れ易くなる。
ａ’とｂ’の寸法差が２．０ｍｍ未満の場合は、ロックを外す際に差し込み形状が大きく変形してしまうため、再々封鎖時のロック状態が不完全になり外れ易くなる。また、寸法差が２．５ｍｍを超えた場合は、差し込み後にロックしている上下フラップの左右の可動域が大きくなるため、紙容器の取り扱い時にロックが外れる可能性がある。また、使用時の紙容器の歪みが発生し易くなり、それによってロールシートが容器外に引き出し難くなる可能性がある。
【００２９】
ｃが３．５ｍｍ未満の場合、差し込みが不完全となる可能性があり、内容物であるロールシートが容器外に飛び出すおそれがある。また、ｃが５，５ｍｍを超えた場合は、差し込み後の側面の膨らみが大きくなるため、使用時の紙容器の歪みが発生し易くなり、それによってロールシートが引き出し難くなる可能性がある。さらに、このような歪みによって紙容器の強度が低下するおそれもある。
【００３０】
細幅矩形切欠部５ａ１の縦幅ｃが上記数値範囲にあることにより、図９のＡに示すような状態で係合される蓋部Ａと蓋部Ｂの係合部に、図９Ｂに示すような幅ｃの遊びが生じることとなり、再閉鎖した状態でフラップ同士が接着結合されていない詰め替え口部の閉鎖構造の係合部に柔軟性が付与され、取扱い時に紙箱の内外から該詰め替え口に加わる衝撃に対する抵抗性が備わることとなる。
【００３１】
なお、図８に示されるフラップ３ａ（蓋部Ａ）とフラップ５ａ（蓋部Ｂ）における各部位の数値範囲は、ブランクシートとして米坪３５０ｇ／ｍ２の板紙を使用した場合に特に好適であり、また、角筒胴部を構成する正面板２、天面板３、背面板４、底面板５の各サイズが、長辺２５０ｍｍ、短辺１１０ｍｍで、両フラップが横幅１１０ｍｍ、高さ６５ｍｍのサイズである紙箱を例とした場合の数値である。
【産業上の利用可能性】
【００３２】
本発明のロールシート収納紙箱は、ロール状に巻き取られているクッキングペーパーやペーパータオル等を詰め替え可能に収納するための紙箱として特に有用である。また、紙箱の原料が一枚の板紙のような紙から折り立てて形成されているノンステープル型の安価な紙箱であり廃棄処理の問題もないので、小数回の詰め替え使用のみで廃棄する必要があるような各種商品の収納容器としても利用可能である。
【符号の説明】
【００３３】
１：ロールシート収納紙箱
２：正面板
３：天面板
４：背面板
５：底面板
６：内側正面板
７：ロールシート引き出し口形成部
２ａ，２ｂ，４ａ，４ｂ：内側フラップ
３ａ，３ｂ，５ａ，５ｂ：外側フラップ
３ａ１：蓋部材Ａの台形胴部
３ａ２：頭部
３ａ３：押罫線
３ａ４：首部（括れ部）
５ａ１：細幅矩形切欠部
５ａ２：半円形又は半楕円形の切欠部
６ａ：差込片係合用切断部
７ａ：差込片
Ａ，Ｂ：蓋部
Ｃ：差込片
Ｄ：差込孔
Ｅ：エンボス凹部
Ｌ１：不連続切断線
Ｌ２：切線
【図１】
0005634943.tif 000002
【図２】
0005634943.tif 000003
【図３】
0005634943.tif 000004
【図４】
0005634943.tif 000005
【図５】
0005634943.tif 000006
【図６】
0005634943.tif 000007
【図７】
0005634943.tif 000008
【図８】
0005634943.tif 000009
【図９】
0005634943.tif 000010